(57)【要約】【課題】位置規制部材が気密材より後から取り付けられる場合であっても気密性が損なわれることなく取り付けられる建具を提供する。【解決手段】枠体にスライド自在に設けられた障子を閉めた際に係合する前記枠体と前記障子の框のいずれか一方に長手方向に沿って設けられ他方側に向かって開放された溝部に、他方に設けられた突出部が収容される建具であって、前記溝部に長手方向に沿って設けられた毛状気密材と、前記溝部の開放側から挿入され前記毛状気密材より奥側に嵌合されて前記障子の見込み方向における位置を規制する位置規制部材と、を備え、前記位置規制部材には、前記毛状気密材が取り付けられた状態にて前記溝部に当該位置規制部材を挿入する際に、前記毛状気密材と対向する側面に、凹部が挿入方向に沿って設けられている。【選択図】図４
2010095911.tif 000002
【特許請求の範囲】
【請求項１】
枠体にスライド自在に設けられた障子を閉めた際に係合する前記枠体と前記障子の框のいずれか一方に長手方向に沿って設けられ他方側に向かって開放された溝部に、他方に設けられた突出部が収容される建具であって、
前記溝部に長手方向に沿って設けられた毛状気密材と、前記溝部の開放側から挿入され前記毛状気密材より奥側に嵌合されて前記障子の見込み方向における位置を規制する位置規制部材と、を備え、
前記位置規制部材には、前記毛状気密材が取り付けられた状態にて前記溝部に当該位置規制部材を挿入する際に前記毛状気密材と対向する側面に、凹部が挿入方向に沿って設けられていることを特徴とする建具。
【請求項２】
前記請求項１に記載の建具であって、
前記位置規制部材には、前記障子の位置を規制する規制部が、前記溝部を形成する少なくとも一方の壁面と対向する面側に複数設けられており、
前記凹部は、前記規制部の間に形成されていることを特徴とする建具。
【請求項３】
前記請求項１または請求項２に記載の建具であって、
前記溝部の底部には、前記位置規制部材に設けられた突起が挿入される孔部を有し、
前記孔部は、挿入された前記突起が当該孔部内にて前記長手方向への僅かな移動が許容される開口面積を有していることを特徴とする建具。
【請求項４】
請求項１乃至請求項３のいずれかに記載の建具であって、
前記溝部は、前記障子の前記枠体と係合する前記框に設けられており、
前記枠体は、前記障子が閉められた際に前記溝部に収容される前記突出部を有し、
前記位置規制部材は、前記突出部が当接される当接部を有し、前記規制部は前記当接部の見込み方向における両側に突出していることを特徴とする建具。
【請求項５】
請求項４に記載の建具であって、
前記毛状気密材は、先端が見込み方向において前記規制部より中央側に至るように延出されており、前記当接部に当接された前記突出部に当接されることを特徴とする建具。
【請求項６】
請求項４または請求項５に記載の建具であって、
前記毛状気密材とともに設けられ、前記長手方向に連続し、かつ、前記毛状気密材より短く形成された弾性変形可能なヒレ状をなすヒレ状気密材を有し、
前記ヒレ状気密材は、前記位置規制部材の前記溝部への挿入により当該位置規制部材に押圧されて弾性変形し、前記位置規制部材と前記溝部との間に形成される空隙に導かれ、
前記位置規制部材の移動に伴って弾性により前記空隙から復帰することを特徴とする建具。
【発明の詳細な説明】
【技術分野】
【０００１】
本発明は、枠体にスライド自在に設けられた障子を閉めた際に前記枠体と前記障子の框とが係合する建具に関する。
【背景技術】
【０００２】
従来、枠体にスライド自在に設けられた障子を閉めた際に枠体と障子の框とが係合する建具としては、例えば、枠体に長手方向に沿って突設されたガイド突条が、障子を閉めた際に、戸先框に長手方向に沿って形成された溝部に挿入される引き違いサッシが知られている（例えば、特許文献１参照）。戸先框の溝部内には、ガイド突条が接触されて障子を見込み方向の所定の位置に案内するための戸当たりピース（位置規制部材）が設けられ、また、溝部の開放縁側には、見込み方向において溝部の中央側に向かって突出させて、上下方向のほぼ全域に渡って気密材が設けられている。
【特許文献１】特願２００４−３２４３３８号公報
【発明の開示】
【発明が解決しようとする課題】
【０００３】
上記従来の建具のような建具では、気密材として、柔軟性が高く、ガイド突条などの当接されるべき部材に対する接触代を大きく取りやすい例えば毛状の気密材が設けられている場合がある。
【０００４】
また、戸当たりピースとガイド突条とが接触している位置より溝部の開放縁側に気密材が設けられている建具では、溝部に気密材を取り付けた後に、溝部の開放された側から溝部内に戸当たりピースを挿入することがある。このとき、気密材として毛状気密材が溝部の開放側の端に設けられていると、後から挿入された戸当たりピースにより溝部と戸当たりピースとの間に毛状気密材が挟まれて気密材が十分に機能せず気密性が損なわれる虞があるという課題がある。
【０００５】
本発明は、かかる課題に鑑みてなされたものであり、その目的とするところは、位置規制部材が気密材より後から取り付けられる場合であっても気密性が損なわれることなく取り付けられる建具を提供することにある。
【課題を解決するための手段】
【０００６】
かかる目的を達成するために本発明の建具は、枠体にスライド自在に設けられた障子を閉めた際に係合する前記枠体と前記障子の框のいずれか一方に長手方向に沿って設けられ他方側に向かって開放された溝部に、他方に設けられた突出部が収容される建具であって、前記溝部に長手方向に沿って設けられた毛状気密材と、前記溝部の開放側から挿入され前記毛状気密材より奥側に嵌合されて前記障子の見込み方向における位置を規制する位置規制部材とを備え、前記位置規制部材には、前記毛状気密材が取り付けられた状態にて前記溝部に当該位置規制部材を挿入する際に前記毛状気密材と対向する側面に、凹部が挿入方向に沿って設けられていることを特徴とする建具である。  
このような建具は、溝部に位置規制部材を挿入する際に毛状気密材と対向する、位置規制部材の側面に、凹部が挿入方向に沿って設けられているので、溝部と位置規制部材との間に入り込みそうな毛状気密材が凹部に移動しつつ位置規制部材が挿入される。このため、位置規制部材を溝部に挿入する際に毛状気密材が溝部と位置規制部材との間に挟まれることを防止することが可能である。すなわち、毛状気密材が位置規制部材の取り付け時に挟まれにくいので、位置規制部材を毛状気密材より後から取り付けても、枠体と障子との間に高い気密性を備えることが可能である。特に、凹部は、位置規制部材の挿入方向に沿って設けられているので、位置規制部材が挿入され始めてから装着されるまでの間に渡って、毛状気密材が溝部と位置規制部材の間に挟まれることを防止することが可能である。
【０００７】
かかる建具であって、前記位置規制部材には、前記障子の位置を規制する規制部が、前記溝部を形成する少なくとも一方の壁面と対向する面側に複数設けられており、前記凹部は、前記規制部の間に形成されていることが望ましい。  
このような建具によれば、凹部は、位置規制部材が溝部の一方の壁面と対向する、位置規制部材の一方の面に複数設けられているので、少なくとも溝部の一方の壁面側では、毛状気密材が挟まれることが防止され、少なくとも溝部の一方の壁面側の気密性を高めることが可能である。
【０００８】
かかる建具であって、前記溝部の底部には、前記位置規制部材に設けられた突起が挿入される孔部を有し、前記孔部は、挿入された前記突起が当該孔部内にて前記長手方向への僅かな移動が許容される開口面積を有していることが望ましい。  
このような建具によれば、位置規制部材は突起が孔部に挿入されても、この孔部が形成された枠体又は框のいずれか一方の長手方向への僅かな移動が可能である。このため、位置規制部材を取り付けた際に、万一、毛状気密材の一部が溝部と位置規制部材との間に挟まれたとしても、位置規制部材を挿入方向と交差する方向に移動させることにより、挟まれた毛状気密材を凹部に導いて、狭持された状態から解放することが可能である。
【０００９】
かかる建具であって、前記溝部は、前記障子の前記枠体と係合する前記框に設けられており、前記枠体は、前記障子が閉められた際に前記溝部に収容される前記突出部を有し、前記位置規制部材は、前記突出部が当接される当接部を有し、前記規制部は前記当接部の見込み方向における両側に突出していることが望ましい。  
このような建具によれば、位置規制部材が有する規制部は、見込み方向において突出部が当接される当接部の両側に突出しているので、突出部を見込み方向における両側から規制することにより、枠体と障子との距離を適切な距離に保つことが可能である。このため、溝部に設けられた毛状気密材を適切に作用させて高い気密性を備えることが可能である。
【００１０】
かかる建具であって、前記毛状気密材は、先端が見込み方向において前記規制部より中央側に至るように延出されており、前記当接部に当接された前記突出部に当接されることが望ましい。  
このような建具によれば、先端が見込み方向において規制部より中央側に至るように延出されている毛状気密材が、見込み方向において規制部の間にて規制される突出部に当接されるので、毛状気密材を確実に突出部に当接させることが可能であり、より高い気密性を備えることが可能である。しかしながら、毛状気密材が規制部より中央側に延出されていると、位置規制部材を挿入する際に毛状気密材を挟み込みやすい。このため、位置規制部材が、毛状気密材が挟まれることを防止するための凹部を備えた構成とすることにより、高い気密性がより得られやすい建具を提供することが可能である。
【００１１】
かかる建具であって、前記毛状気密材とともに設けられ、前記長手方向に連続し、かつ、前記毛状気密材より短く形成された弾性変形可能なヒレ状をなすヒレ状気密材を有し、前記ヒレ状気密材は、前記位置規制部材の前記溝部への挿入により当該位置規制部材に押圧されて弾性変形し、前記位置規制部材と前記溝部との間に形成される空隙に導かれ、前記位置規制部材の移動に伴って弾性により前記空隙から復帰することが望ましい。  
このような建具によれば、気密材として毛状気密材とヒレ状気密材とを備えているので、より高い気密性を備えた建具を実現することが可能である。また、ヒレ状気密材は、位置規制部材が挿入される際に弾性変形して位置規制部材と溝部との間に形成される空隙に導かれるので、位置規制部材を容易に嵌合することが可能であり、位置規制部材の移動に伴って弾性により空隙から復帰するので、障子を閉めた際にはヒレ状気密材を突出部に当接させることが可能である。
【発明の効果】
【００１２】
本発明によれば、位置規制部材が気密材より後から取り付けられる場合であっても気密性が損なわれることなく取り付けられる建具を提供することが可能である。
【発明を実施するための最良の形態】
【００１３】
以下、本発明の一実施形態に係る建具について図面を参照して説明する。  
本実施形態の建具１は、図１、図２に示すように、２本の横枠１１と２本の縦枠１２とを接合して形成された矩形状の窓枠１０に、２本の横框と２本の縦框とを矩形状に接合した框体２１を有する障子２０が見付け方向にスライド自在に設けられた引き違い窓用の建具１である。
【００１４】
この建具１が有する障子２０は、ほぼ同一の断面形状をなす樹脂製の成形部材である上框２２、下框２３、戸先框２４、召合せ框２９が接合された框体２１の外周側となる部位に、窓枠１０側に向かって開放された溝部２１ａを有している。そして、溝部２１ａ内の開放端側には、内方に向かって互いに対向する対向面２７ａに、互いに対向する側に向かって突出するように毛状気密材３０が設けられている。
【００１５】
窓枠１０の内周側には、窓枠１０にて区画されて形成されている空間側に向かって突出する突出部１０ａが、全周に渡って繋がって設けられている。上下の横枠１１に設けられた突出部１０ａは、内障子及び外障子をなす２枚の障子２０のレールをなし、左右の縦枠１２に設けられた突出部１０ａは、障子２０を閉めた際に、障子２０の戸先框２４の溝部２１ａに収容される部位となる。
【００１６】
そして、窓枠１０に２枚の障子２０が装着された際には、障子２０の框体２１の溝部２１ａに窓枠１０のレールをなす突出部１０ａが収容される。また、障子２０を閉じた際には、図２に示すように、障子２０の戸先框２４の溝部２１ａに縦枠１２の突出部１０ａが収容される。
【００１７】
戸先框２４は、上下方向に連通する中空部を有する框本体部２５と、框本体部２５から框体２１の内側（框体２１によって区画された空間側）に向かって突出され室内側の面２５ａと繋がった面材当接部２６と、框本体部２５から框体２１の外側（窓枠１０側）に向かって延出され室内側の面２５ａ及び室外側の面２５ｂとそれぞれ繋がって見込み方向に間隔を隔てて設けられた２つの延出壁部２７と、を有している。
【００１８】
框本体部２５は、断面形状がほぼ正方形状をなし、内部に断面Ｕ字状の補強材３５が挿入されている。また、框本体部２５の内周側であって室外側の角部には、框本体部２５の内方側に窪む凹部であって、面材当接部２６と見込み方向において対向する押縁２８が取り付けられる押縁取付部２５ｃが設けられている。
【００１９】
延出壁部２７は、剛性を確保するために上下方向に連通する中空部を有する部位である。框本体部２５の室内側と室外側とから延出された延出壁部２７の互いに対向する対向面２７ａと、框本体部２５の外周側の面２５ｄとにて、外周側の面２５ｄを底部とする溝部２１ａが形成されている。互いに対向する延出壁部２７の対向面２７ａには、溝部２１ａの開放された先端側に溝部２１ａの内方側に向かって突出する気密材取付部２７ｂが戸先框２４の全長に渡って設けられている。このため、溝部２１ａ内は、開放端側が奥（底）側より見込み方向の幅が狭く形成されており、気密材取付部２７ｂより奥側（框本体部２５の外周側の面２５ｄ側）に位置規制部材５０が嵌合される。また、溝部２１ａを構成する框本体部２５の外周側の面２５ｄには、位置規制部材５０に設けられた突起５１が挿入される孔部としての挿入孔２５ｅ（図４）が設けられている。
【００２０】
戸先框２４の溝部２１ａ内には、延出壁部２７の対向面２７ａに戸先框２４の長手方向すなわち上下方向に沿って設けられた気密材取付部２７ｂに毛状気密材３０がそれぞれ取り付けられており、毛状気密材３０より奥側、すなわち框体２１における見付け方向の中央側には、障子２０の見込み方向の位置を規制するための位置規制部材５０が設けられている。
【００２１】
気密材取付部２７ｂは、互いに対向する部位に上下方向に沿ってスリット２７ｃが設けられており、気密材取付部２７ｂ内に上下方向に沿って設けられた空隙２７ｄと繋がっている。
【００２２】
毛状気密材３０は、帯状の台座部３１の一方の面にほぼ垂直に植毛されてブラシ状をなしており、台座部３１が気密材取付部２７ｂの空隙２７ｄに収容されて取り付けられると、スリット２７ｃから溝部２１ａ内に向かって毛状部３２が突出する。
【００２３】
位置規制部材５０は、樹脂製のブロック状をなしており、戸先框２４の長手方向において間隔を隔てた２カ所(図１)に設けられている。
【００２４】
位置規制部材５０は、図３に示すように、障子２０が閉じられたときに戸先框２４の溝部２１ａに入り込む窓枠１０の突出部１０ａが当接される突出部当接面５２を有する規制部本体５３と、規制部本体５３の上端より上方及び下端より下方に設けられて位置規制部材５０を戸先框２４の所定の位置に保持するための保持部５４と、を有している。
【００２５】
規制部本体５３は、溝部２１ａに嵌合された際に、溝部２１ａを形成して対向する延出壁部２７にそれぞれ設けられた気密材取付部２７ｂ間の間隔より狭く形成されており、溝部２１ａの開放端側に望む面が、障子２０が閉じた際に縦枠１２の突出部１０ａが当接される突出部当接面５２となる。突出部当接面５２は、見込み方向において突出部１０ａより僅かに広く形成されており、溝部２１ａに嵌合された際に、突出部当接面５２が、気密材取付部２７ｂに設けられた毛状気密材３０より溝部２１ａの奥側に位置するように形成されている。
【００２６】
規制部本体５３における溝部２１ａの開放端側には、突出部当接面５２と繋がって、見込み方向の幅が広くなるように、また、溝部２１ａの開放端側に向かって突出された規制部としての規制片５５が設けられている。規制部本体５３の室内側と室外側とに設けられた規制片５５の先端部５５ａは、延出壁部２７にそれぞれ設けられた気密材取付部２７ｂよりも溝部２１ａの深さ方向において僅かに内側に位置するように設けられている。規制片５５の先端部５５ａと突出部当接面５２との間には、溝部２１ａの開放端側から奥側に向かって室外側の規制片５５と室内側の規制片５５との間隔が狭くなるように傾斜が設けられている。この傾斜により、戸先框２４が見込み方向において所定の位置に導かれるように構成されている。
【００２７】
室外側の規制片５５と室内側の規制片５５は、それぞれ上下方向（戸先框２４の長手方向）に間隔を隔てて４つずつ設けられており、上下方向に隣接する規制片５５の間は、規制片５５が設けられていないため、見込み方向の幅が狭くなった凹部５６が、溝部２１ａの開放端側から奥側に向かう方向（戸先框２４に対する位置規制部材５０の挿入方向）に沿って形成されている。
【００２８】
また、規制部本体５３において、位置規制部材５０が溝部２１ａに嵌合された際に框本体部２５の外周側の面２５ｄと対向する面５３ａには、框本体部２５に設けられた挿入孔２５ｅに挿入される突起５１が設けられている。この突起５１の上下方向の幅は、挿入孔２５ｅの上下方向の幅より狭く形成されており、突起５１が挿入孔２５ｅに挿入された状態でも、位置規制部材５０が僅かに上下方向に移動可能に形成されている。換言すれば、挿入孔２５ｅは、挿入された突起５１が当該挿入孔２５ｅにて長手方向への僅かな移動が許容される開口面積を有している。
【００２９】
規制部本体５３の上端と下端とに設けられている保持部５４は、規制部本体５３の框本体部２５側であって見込み方向における中央部からほぼ水平に延出されたアーム状の部位であり、位置規制部材５０が溝部２１ａに嵌合された際に、延出壁部２７の対向面２７ａに沿うように配置される先側保持片５４ａと、先側保持片５４ａと規制部本体５３とを繋ぐ腕部５４ｂとを有している。規制部本体５３の上端と下端とに設けられている保持部５４は、上下方向の向きが異なる（上下で対照形状となる）こと以外は同じである。このため、ここでは上端側に設けられている保持部５４について説明する。
【００３０】
上端側の保持部５４は、規制部本体５３から室内側と室外側とにそれぞれ延出されており、２本の先側保持片５４ａは、先端５４ｃが延出壁部２７に溝部２１ａ内側に向かって突出された気密材取付部２７ｂに近接するように配置される。また、２本の先側保持片５４ａは、見込み方向の幅が溝部２１ａを形成する延出壁部２７の対向面２７ａ間の幅とほぼ同じか僅かに広く形成されている。
【００３１】
このような位置規制部材５０は、図４、図５に示すように、戸先框２４に設けられた溝部２１ａに、その開放されている側から溝部２１ａの奥に向かって挿入される。すなわち、溝部２１ａに、その開放されている側から溝部２１ａの奥に向かう方向が挿入方向である。
【００３２】
戸先框２４には、毛状気密材３０の台座部３１が気密材取付部２７ｂの空隙２７ｄに戸先框２４の端部側から挿通されて、スリット２７ｃから毛状気密材３０の毛状部３２が突出している。このため、位置規制部材５０は、戸先框２４に毛状気密材３０が取り付けられている状態にて、突起５１が設けられている側から挿入されて、気密材取付部２７ｂ間を通り抜け溝部２１ａ内に収容される。
【００３３】
このとき、室内側及び室外側に設けられている保持部５４の間隔（幅）が狭くなるように、規制部本体５３側となる腕部５４ｂの元から撓み変形し、気密材取付部２７ｂ間を通過した後に樹脂の弾性により元の幅に戻るように構成されている。
【００３４】
保持部５４は、上下方向の幅が狭く、また、気密材取付部２７ｂ間を通過する際には、保持部５４と気密材取付部２７ｂとの間に毛状気密材３０の毛状部３２が挟まれるが、位置規制部材５０を溝部２１ａの外周側の面２５ｄと当接する位置まで挿入すると、保持部５４の先端５４ｃと毛状気密材３０の毛状部３２との距離が十分に離間するため、保持部５４によって挟まれていた毛状部３２が元の状態に弾性復帰されることになる。ところが、位置規制部材５０を溝部２１ａの外周側の面２５ｄと当接する位置まで挿入されても、毛状気密材３０の毛状部３２との距離が十分に離間しない規制片５５は、気密材取付部２７ｂ間を通過する際にこの規制片５５との間で挟まれた毛状部３２が、溝部２１ａに対する位置規制部材５０の取り付けが終った状態においても、規制片５５によって挟まれたままとなる。このため、位置規制部材５０の挿入方向に沿う凹部５６にて規制片５５を分割した形態とすることにより、位置規制部材５０が挿入される際に、毛状気密材３０が気密材取付部２７ｂと規制片５５との間に入り込むことを防止している。
【００３５】
具体的には、位置規制部材５０が挿入される際に、気密材取付部２７ｂと規制片５５との間に入り込む毛状気密材３０が、位置規制部材５０が挿入されるにつれて、規制片５５により上下の凹部５６に振り分けられ、位置規制部材５０が装着された後に、気密材取付部２７ｂと規制片５５との間に気密材の毛状部３２が挟まれていないように構成されている。
【００３６】
本実施形態の建具１は、障子２０の戸先框２４に設けられ窓枠１０に向かって開放された溝部２１ａに毛状気密材３０と位置規制部材５０とが設けられ、位置規制部材５０が、溝部２１ａに毛状気密材３０が取り付けられた後に、溝部２１ａの開放側から挿入されて毛状気密材３０より奥側に嵌合される。このとき、本実施形態の位置規制部材５０には、挿入する際に溝部２１ａと位置規制部材５０との間に毛状気密材３０が挟まれることを防止するための凹部５６が設けられているので、溝部２１ａと位置規制部材５０との間に入り込んだ毛状気密材３０の毛状部３２が規制片５５により溝部２１ａの気密材取付部２７ｂ側に押圧されることにより、隣接している凹部５６側に押し分けられつつ位置規制部材５０が挿入される。このため、位置規制部材５０を溝部２１ａに挿入する際に毛状気密材３０が溝部２１ａと位置規制部材５０との間に挟まれることを防止することが可能である。よって、毛状気密材３０が位置規制部材５０の取り付け時に挟まれにくいので、位置規制部材５０を毛状気密材３０より後から取り付けても、窓枠１０と障子２０との間に高い気密性を備えることが可能である。特に、凹部５６は、位置規制部材５０の挿入方向に沿って設けられているので、位置規制部材５０が挿入され始めてから装着されるまでの間に渡って、毛状気密材３０の毛状部３２が規制片５５により凹部５６側に押し分けられるため、毛状部３２が溝部２１ａと位置規制部材５０の間に挟まれることをより確実に防止することが可能である。
【００３７】
また、凹部５６は位置規制部材５０の、溝部２１ａの少なくとも一方の対向面２７ａと対向する面に設けられていれば気密性を備えることができるが、本実施形態の建具１は、位置規制部材５０の室内側の面と室外側の面とにそれぞれ設けられているので、より高い気密性を備えることが可能である。
【００３８】
また、位置規制部材５０は突起５１が挿入孔２５ｅに挿入されても、挿入方向と交差する戸先框２４の長手方向に沿って移動可能なので、位置規制部材５０を取り付けた際に、万一、毛状気密材３０の毛状部３２が溝部２１ａと位置規制部材５０との間に挟まれた場合であっても、位置規制部材５０を移動可能な範囲にて長手方向に沿って移動させることにより挟まれた毛状部３２を凹部５６に導いて解放することにより気密性を高めることが可能である。
【００３９】
また、位置規制部材５０が有する規制片５５は、窓枠１０の突出部１０ａが当接される突出部当接面５２の見込み方向における両側に突出しているので、突出部１０ａを見込み方向における両側から規制して、窓枠１０と障子２０との距離を適切な距離に保つことが可能である。このため、溝部２１ａに設けられた毛状気密材３０を適切に作用させて高い気密性を備えることが可能である。
【００４０】
上述したように、見込み方向において規制片５５より中央側に延出されている毛状気密材３０が、見込み方向において規制片５５の間にて規制されている突出部１０ａに当接されているので、毛状気密材３０を確実に突出部１０ａに当接させることが可能であり、より高い気密性を備えることが可能である。しかしながら、毛状気密材３０が規制片５５より中央側に延出されていると、位置規制部材５０を挿入する際に毛状気密材３０を挟みやすいので、位置規制部材５０が、毛状気密材３０が挟まれることを防止するための凹部５６を備えた建具１がより有効である。
【００４１】
また、気密材として、図６に示すように毛状部３２のほかに、毛状部３２より短く形成されて突出部１０ａに当接されるヒレ状のヒレ状気密材３３が毛状部３２とともに設けられていてもよい。このようなヒレ状気密材３３は、例えば、溝部の長手方向に沿って連続して設けられている。ヒレ状気密材３３は、見付け方向において毛状部３２の中央に毛状部３２に挟まれるように設けられており、位置規制部材５０が溝部２１ａに挿入される際に規制片５５と気密材取付部２７ｂとの間に形成される空隙Ｓの見込み方向の幅より薄い薄板状をなす弾性変形可能な樹脂製の部材である。
【００４２】
このようなヒレ状気密材３３は、位置規制部材５０が溝部２１ａに挿入される際には、位置規制部材５０の側面に押圧されて弾性変形し、位置規制部材５０と溝部２１ａとの間に形成される空隙Ｓに導かれる。ヒレ状気密材３３は、空隙Ｓ、具体的には空隙Ｓの最も狭い、規制片５５と気密材取付部２７ｂとの間に形成される空隙Ｓより薄く形成されているので、位置規制部材５０が溝部２１ａに挿入される際に規制片５５と気密材取付部２７ｂとの間に入り込んでも狭持されることはなく、位置規制部材５０を框本体部２５の外周側の面２５ｄ側へ容易に移動させることが可能である。また、ヒレ状気密材３３は、長手方向に連続しているので、位置規制部材５０より長く設けられている。すなわち、位置規制部材５０よりも上方及び下方にもヒレ状気密材３３が連続して設けられており、ヒレ状気密材３３が位置規制部材５０により屈曲される部位は、ヒレ状気密材３３の一部であって、屈曲された部位はその上方及び下方の屈曲されない部位と繋がっている。このため、ヒレ状気密材３３の屈曲された部位は、屈曲されない部位との引張力が、ヒレ状気密材３３が復帰する方向に作用しつつ屈曲されている。そして、位置規制部材５０の溝部２１ａの奥側すなわち框本体部２５の外周側の面２５ｄ側への移動に伴ってヒレ状気密材３３が復帰し始め、ヒレ状気密材３３の先端が位置規制部材５０から離れた際に復帰する。このため、障子２０を閉めた際に、窓枠１０の突出部１０ａに当接する位置にヒレ状気密材３３の先端が配置される。また、このとき、ヒレ状気密材３３より溝部２１ａの開口側、すなわち位置規制部材５０と反対側に設けられている毛状部３２もヒレ状気密材３３の弾性力により押し戻され、障子２０を閉めた際に、押し戻された毛状部３２の先端が窓枠１０の突出部１０ａに当接する位置に配置される。このため、障子２０を閉めた際には、ヒレ状気密材３３とヒレ状気密材３３より開口側の毛状部３２とが突出部１０ａに当接するので、より確実に高い気密性を確保することが可能である。
【００４３】
また、ヒレ状気密材を、溝部２１ａに対して位置規制部材５０を挿入し終わった状態において規制片５５とは接触しない突出長さとしておいても良い。
【００４４】
この場合には、気密材取付部２７ｂ間を通過する際には、規制片５５と気密材取付部２７ｂとの間にヒレ状気密材が挟まれるが、位置規制部材５０を溝部２１ａの外周側の面２５ｄと当接する位置まで挿入すると、規制片５５の先端部５５ａとヒレ状気密材の先端が離間した状態になるため、規制片５５によって挟まれていたヒレ状気密材が元の状態に弾性復帰されて突出部１０ａに当接されることになり、高い気密性を確保できる。
【００４５】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００４６】
上記実施形態においては、戸先框２４、すなわち障子２０側に溝部２１ａを設け、窓枠１０側に突出部１０ａを備えて、障子２０を閉じた際に、窓枠１０側の突出部１０ａが戸先框２４の溝部２１ａに収容される例について説明したが、窓枠側に溝部を設け、障子を閉じた際に戸先框側の突出部が窓枠の溝部に収容される形態であっても構わない。
【００４７】
また、上記実施液体においては、位置規制部材５０が、戸先框２４の長手方向において間隔を隔てた２カ所に設けられている例について説明したが、これに限るものではない。
【００４８】
上記実施形態においては、窓枠を樹脂製としたが、これに限らず、例えばアルミニウム製であっても構わない。
【００４９】
また、上記実施形態においては、障子が左右方向に移動可能な引き違い窓用の建具を例に挙げて説明したが、片引き窓や、開口枠内を移動障子が垂直方向に移動可能に設けられた上げ下げ窓であっても構わない。
【図面の簡単な説明】
【００５０】
【図１】本実施形態に係る建具を室内側からみた外観図である。
【図２】図１のＡ−Ａ断面図である。
【図３】図３（ａ）は、位置規制部材の平面図、図３（ｂ）は、位置規制部材の正面図、図３（ｃ）は、位置規制部材の側面図である。
【図４】位置規制部材が戸先框に装着される様子を示す斜視図である。
【図５】位置規制部材が挿入される際の気密材の様子を説明するための平面図である。
【図６】気密材の変形例を示す図である。
【符号の説明】
【００５１】
１  建具、１０  窓枠、１０ａ  突出部、２０  障子、２１ａ  溝部、
２４  戸先框 、２５ａ  室内側の面、２５ｂ  室外側の面、
２５ｄ  外周側の面、２５ｅ  挿入孔、２７  延出壁部、 ２７ａ  対向面、
３０  毛状気密材、３１  台座部、３２  毛状部、３３  ヒレ状の部位、
５０  位置規制部材、５１  突起、５３ａ  外周側の面、５５  規制片
５６  凹部、Ｓ  空隙  
【図１】
2010095911.tif 000003
【図２】
2010095911.tif 000004
【図３】
2010095911.tif 000005
【図４】
2010095911.tif 000006
【図５】
2010095911.tif 000007
【図６】
2010095911.tif 000008